(57)【要約】【課題】本体部に接続されたチューブに引っ張られても、本体部が容易に載置面上を横滑りしない構造を備える血圧計を提供する。【解決手段】本体部１０を机等の載置面に載置した場合には、本体部１０の裏面側１０Ｂに位置する第１チューブ２４Ａの膨出した領域１１Ｃおよび第２チューブ２４Ｂの膨出した領域１１Ｄが載置面に接することになる。これにより、本体部１０が第１チューブ２４Ａ，２４Ｂが引っ張られた場合であっても、本体部１０の横滑りを回避できる。【選択図】図７
2011030748.tif 000002
【特許請求の範囲】
【請求項１】
載置面に載置され、表面側および裏面側を有する本体部と、
手動式の加圧機構と、
測定者の所定の身体部位に巻付けられる腕帯と、
前記本体部と前記加圧機構とを接続する第１チューブと、
前記本体部と前記腕帯とを接続する第２チューブと、
を備え、
前記第１チューブおよび前記第２チューブの少なくといずれか一方は、その一部が前記載置面に当接するように前記本体部の裏面側に固定配置される、血圧計。
【請求項２】
前記本体部の前記裏面側に、前記第１チューブを差し込み固定する第１プラグと、前記第２チューブを差し込み固定する第２プラグとが配設され、
前記第１プラグへの前記第１チューブの差し込みにより膨出した領域、および、前記第２プラグへの前記第２チューブの差し込みにより膨出した領域が前記載置面に当接するように、前記第１プラグおよび前記第２プラグが前記本体部の前記裏面側に設けられる、請求項１に記載の血圧計。
【請求項３】
前記本体部の前記裏面側に、前記第１チューブを差し込み固定する第１プラグと、前記第２チューブを差し込み固定する第２プラグとが配設され、
前記第１プラグに差し込まれ、前記第１プラグから延びる前記第１チューブの一部、および、前記第２プラグに差し込まれ、前記第２プラグから延びる前記第２チューブの一部が、前記載置面に当接するように、前記第１チューブおよび前記第２チューブが、前記本体部の前記裏面側に固定される、請求項１に記載の血圧計。
【請求項４】
前記第１チューブおよび前記第２チューブの肉厚は、約０．５ｍｍ以上である、請求項１から３のいずれかに記載の血圧計。
【請求項５】
載置面に載置され、表面側および裏面側を有する本体部と、
測定者の所定の身体部位に巻付けられる腕帯と、
前記本体部と前記腕帯とを接続するチューブと、
を備え、
前記チューブは、その一部が前記載置面に当接するように前記本体部の裏面側に固定配置される、血圧計。
【発明の詳細な説明】
【技術分野】
【０００１】
本発明は、血圧計に関する。
【背景技術】
【０００２】
特許文献１には、手動加圧式血圧計が開示されている。手動加圧式血圧計においては、本体部と、この本体部にチューブにより接続される手動の加圧装置であるゴム球と、本体部にチューブにより接続される腕帯とを有している。
【０００３】
本体部の大きさは、内蔵される電子機器の小型化により、年々軽量化が進められている。そのため、この手動加圧式血圧計を用いた血圧測定時に、机上等の載置面に載置した本体部が、本体部に接続されたチューブに引っ張られ、本体部が容易に載置面上を横滑りしてしまう。
【０００４】
本体部が横滑りした場合、手動加圧式血圧計の使い勝手が悪くなるとともに、本体部に内蔵されたセンサ等に不必要な振動が伝わり、血圧測定精度に悪影響を与えるおそれがある。また、本体部の裏面側に、滑り止めのためのゴム製の突起を設けることも考えられる。しかし、ゴム製の突起を設けることにより、手動加圧式血圧計の製造コストの上昇を招いてしまう。
【０００５】
また、加圧機構を本体部に内蔵した自動加圧式血圧計においても、本体部と腕帯との間にはチューブが設けられることから、血圧測定時に、机上等の載置面に載置した本体部が、本体部に接続されたチューブに引っ張られ、本体部が容易に載置面上を横滑りしてしまうことも考えられる。
【先行技術文献】
【特許文献】
【０００６】
【特許文献１】特公平２−７６５４号公報
【発明の概要】
【発明が解決しようとする課題】
【０００７】
この発明が解決しようとする課題は、血圧計の使用時に、本体部に接続されたチューブに引っ張られて、本体部が容易に載置面上を横滑りしてしまう点にある。
【０００８】
したがって、本発明の目的は、本体部に接続されたチューブに引っ張られても、本体部が容易に載置面上を横滑りしない構造を備える血圧計を提供する点にある。
【課題を解決するための手段】
【０００９】
この発明に基づいた血圧計のある局面においては、載置面に載置され、表面側および裏面側を有する本体部と、手動式の加圧機構と、測定者の所定の身体部位に巻付けられる腕帯と、上記本体部と上記加圧機構とを接続する第１チューブと、上記本体部と上記腕帯とを接続する第２チューブとを備え、上記第１チューブおよび上記第２チューブの少なくといずれか一方は、その一部が上記載置面に当接するように上記本体部の裏面側に固定配置される。
【００１０】
この発明に基づいた血圧計の他の局面においては、載置面に載置され、表面側および裏面側を有する本体部と、測定者の所定の身体部位に巻付けられる腕帯と、上記本体部と上記腕帯とを接続するチューブとを備え、上記チューブは、その一部が上記載置面に当接するように上記本体部の裏面側に固定配置される。
【発明の効果】
【００１１】
この発明に基づいた血圧計によれば、本体部に接続されたチューブに本体部が引っ張られても、本体部が容易に載置面上を横滑りしない構造を備える血圧計を提供することが可能となる。
【図面の簡単な説明】
【００１２】
【図１】実施の形態１における血圧計の全体構成を示す図である。
【図２】実施の形態１における血圧計のハードウェア構成を示すブロック図である。
【図３】実施の形態１における血圧計の本体部の正面（表面）側を示す斜視図である。
【図４】実施の形態１における血圧計の本体部からチューブを外した状態での背面（裏面）側を示す斜視図である。
【図５】実施の形態１における血圧計の本体部からチューブを外した状態での平面（頭部）側を示す図である。
【図６】実施の形態１における血圧計の本体部からチューブを外した状態での側面（右側面）側を示す図である。
【図７】実施の形態１における血圧計の本体部にチューブを装着した状態での平面（頭部）側を示す図である。
【図８】実施の形態１の他の形態における血圧計の本体部からチューブを外した状態での側面（右側面）側を示す図である。
【図９】実施の形態２における血圧計の本体部にチューブを装着した状態での背面（裏面）側を示す図である。
【図１０】図９中Ｘ−Ｘ線矢視断面図である。
【図１１】他の実施の形態における血圧計の全体構成を示す図である。
【発明を実施するための形態】
【００１３】
以下、本発明の実施の形態における血圧計について、その一例として本発明を手動加圧式の血圧計に適用した場合について、図を参照しながら説明する。なお、以下に説明する各実施の形態において、個数、量などに言及する場合、特に記載がある場合を除き、本発明の範囲は必ずしもその個数、量などに限定されない。また、以下に複数の実施の形態が存在する場合、特に記載がある場合を除き、各々の実施の形態の構成を適宜組み合わせることは、当初から予定されている。
【００１４】
（実施の形態１）
図１から図７を参照して、実施の形態１における手動加圧式血圧計１について説明する。まず、図１、図３から図６を参照して、手動加圧式血圧計１の外観構成について説明する。
【００１５】
（手動加圧式血圧計１の外観構成）
本実施の形態における手動加圧式血圧計１は、平板形状の本体部１０と、測定者の所定の身体部位たとえば上腕に巻付けるための腕帯２０と、手動式の加圧機構として、たとえば、ゴム球３０を備える。
【００１６】
ゴム球３０は本体部１０に第１チューブ２４Ａを用いて接続されている。腕帯２０は、本体部１０に第２チューブ２４Ｂを用いて接続されている。ゴム球３０は、ユーザにより圧縮操作されることで、第１チューブ２４Ａおよび第２チューブ２４Ｂを介して、腕帯２０の空気袋に空気を送り込む。本体部１０を構成する筐体には、樹脂成型品、板金成型品等が用いられる。第１チューブ２４Ａおよび第２チューブ２４Ｂには、塩化ビニール、天然ゴム、シリコンゴム、エラストマー等が用いられる。
【００１７】
本体部１０の表面側１０Ａには、測定結果などを表示するための表示部４０と、測定者からの指示の入力を受付けるための操作部４１等が配置される。操作部４１は、たとえば、電源のＯＮ／ＯＦＦを切替えるための電源スイッチ、測定開始の指示を入力するための測定スイッチ、および、過去の測定結果を読出して表示する指示を入力するためのメモリスイッチなどの機能を含む。表示部４０は、たとえば液晶等のディスプレイにより構成される。
【００１８】
本体部１０の裏面側には、本体部１０の中央部よりも上部側に片寄った位置に、図面視において左右方向延びる凸部領域１２が形成されている。さらに、この凸部領域１２の両側面には、本体部１０の表面側に向かって窪む凹部領域１２ａが形成されている。凸部領域１２の両側面から、凹部領域１２ａに取り囲まれるようにして、左右側方に延びるように、プラグ１１Ａおよびプラグ１１Ｂが設けられている。本体部１０の裏面側には、本体部１０の中央部よりも下部側に片寄った位置に、電池カバー１５が設けられている。
【００１９】
なお、手動加圧式血圧計１の本体部１０の形状はこのような例に限定されない。また、手動式の加圧機構としてゴム球３０を備えることとしたが、これに限定されない。また、腕帯２０を加圧するための流体は空気に限定されない。
【００２０】
（ハードウェア構成について）
図２を参照して、本実施の形態における手動加圧式血圧計１のハードウェア構成について説明する。手動加圧式血圧計１の腕帯２０は、空気が内包される空気袋２１を含む。ゴム球３０は、空気袋２１に第１チューブ２４Ａおよび第２チューブ２４Ｂを介して空気を供給または排出する。
【００２１】
ゴム球３０の所定の位置には、一定の速度で空気を排出するための極小な排気口３１が設けられている。また、ゴム球３０は、操作部４１に含まれる専用スイッチ（図示せず）が押下されることで空気を急速に排気することができる。ユーザは、ゴム球３０の圧縮操作をすることで、空気袋２１に空気を供給することができる。
【００２２】
本体部１０は、各部を集中的に制御および監視するためのＣＰＵ（Central Processing Unit）１００と、圧力センサ３２と、発振回路３５と、不揮発性のメモリ部３９と、表示部４０と、操作部４１と、電源部４２と、計時動作を行なうための計時部４３と、警告音やビープ音を出力するためのブザー４４と、光を出力するためのＬＥＤ（Light Emitting Diode）４５を内蔵する。
【００２３】
圧力センサ３２は、空気袋２１内の圧力（以下、「カフ圧」という）を表わすカフ圧信号を検知するためのデバイスである。圧力センサ３２は、検知した圧力により容量値が変化する。発振回路３５は、圧力センサ３２の容量値に応じた発振周波数の信号をＣＰＵ１００に出力する。ＣＰＵ１００は、発振回路３５から得られる信号を圧力に変換し圧力（カフ圧）を検知する。
【００２４】
メモリ部３９は、ＣＰＵ１００に所定の動作をさせるプログラムや測定結果情報などの各種情報を記憶する。電源部４２は、操作部４１からの電源ＯＮの指示によりＣＰＵ１００に電力を供給する。
【００２５】
（プラグとチューブとの連結構造）
図７を参照して、第１プラグ１１Ａおよび第２プラグ１１Ｂと、第１チューブ２４Ａおよび第２チューブ２４Ｂとの連結構造の詳細について説明する。本実施の形態においては、凸部領域１２において、一方の側面側に向かって突出するように設けられる第１プラグ１１Ａと、他方の側面側に向かって突出するように設けられる第２プラグ１１Ｂを有している。
【００２６】
第１プラグ１１Ａに第１チューブ２４Ａを差し込み固定した場合に、第１プラグ１１Ａに設けられた膨出部により内側から押され、第１チューブ２４Ａの表面側において、他の表面領域よりも外側に膨出した領域１１Ｃが、凸部領域１２の下端部よりも下方に突出する（距離Ｌ：約０．５ｍｍ程度）位置となるように、プラグ１１Ａが凸部領域１２の側面に取り付けられている。これにより、本体部１０を載置面に載置した場合に、第１チューブ２４Ａの外側に膨出した領域１１Ｃの表面が、載置面に当接する状態となる。
【００２７】
同様に、第２プラグ１１Ｂに、第２チューブ２４Ｂを差し込み固定した場合に、第２プラグ１１Ｂに設けられた膨出部により内側から押され、第２チューブ２４Ｂの表面側において、他の表面領域よりも外側に膨出した領域１１Ｄが、凸部領域１２の下端部よりも下方に突出する（距離Ｌ：約０．５ｍｍ程度）位置となるように、プラグ１１Ｂが凸部領域１２の側面に取り付けられている。これにより、本体部１０を載置面に載置した場合に、第２チューブ２４Ｂの外側に膨出した領域１１Ｄの表面が、載置面に当接する状態となる。
【００２８】
この構成を採用することにより、本体部１０を机等の載置面に載置した場合には、本体部１０の裏面側１０Ｂに位置する第１チューブ２４Ａの膨出した領域１１Ｃおよび第２チューブ２４Ｂの膨出した領域１１Ｄが載置面に接することになる。第１チューブ２４Ａおよび第２チューブ２４Ｂには、本体部１０の表面の摩擦係数よりも大きい摩擦係数を有する、塩化ビニール、天然ゴム、シリコンゴム、エラストマーが用いられていることから、本体部１０が第１チューブ２４Ａ，２４Ｂが引っ張られた場合であっても、本体部１０の横滑りを回避できる。
【００２９】
また、第１チューブ２４Ａおよび第２チューブ２４Ｂにより引っ張られる力が加わる点で、本体部１０の横滑りを回避していることから、本体部１０の回転も抑制することが可能となる。
【００３０】
以上のように、本体部１０に接続された第１チューブ２４Ａおよび第２チューブ２４Ｂの外側に膨出した領域１１Ｃ，１１Ｄが載置面に当接することから、本体部１０が引っ張られても、本体部１０が容易に載置面上を横滑りしない。その結果、本体部１０に内蔵された圧力センサ３２等に不必要な振動を与えることがなく、血圧測定精度の向上を図ることが可能となる。また、本体部１０の滑り止めのための別部材を設ける必要がないため、手動加圧式血圧計の製造コストの上昇を招くこともない。
【００３１】
なお、上記実施の形態においては、裏面側１０Ｂにおいて、本体部１０の中央部よりも上部側に片寄った位置に、第１プラグ１１Ａおよび第２プラグ１１Ｂを設ける構成を図示しているが、この構成に限定されるものではない。たとえば、図８の側面図に示すように、裏面側１０Ｂにおいて、本体部１０の中央部に第１プラグ１１Ａおよび第２プラグ１１Ｂを設ける構成も可能である。
【００３２】
また、第１プラグ１１Ａおよび第２プラグ１１Ｂを本体部１０の裏面側１０Ｂにおいて、左右方向に突出するように設けた場合について図示しているが、上下方向に突出するように設けることも可能であり、また、斜め方向に突出させるように設けることも可能である。本体部１０を載置面に載置した場合に、表示部４０が測定者にとって見づらい傾斜とならなければ、第１プラグ１１Ａおよび第２プラグ１１Ｂを設ける位置は、上述した位置には限定されない。
【００３３】
また、第１チューブ２４Ａの外側に膨出した領域１１Ｃの表面と、第２チューブ２４Ｂの外側に膨出した領域１１Ｄの表面との両方が、載置面に接する構成を図示しているが、いずれか一方のチューブのみが、載置面に接する構成の採用も可能である。
【００３４】
（実施の形態２）
次に、図９および図１０を参照して、実施の形態２における手動加圧式血圧計について説明する。本実施の形態おける手動加圧式血圧計においては、第１チューブ２４Ａおよび第２チューブ２４Ｂのそれぞれの一部が本体部１０の裏面側を上下方向に縦断するように配置されている。その他の構成およびハードウェア構成については、上記実施の形態１と同じである。
【００３５】
第１プラグ１１Ａおよび第２プラグ１１Ｂは、本体部１０の裏面側の下方領域にいて、上部側に向かって配設されている。第１プラグ１１Ａおよび第２プラグ１１Ｂのそれぞれに差し込み固定された第１チューブ２４Ａおよび第２チューブ２４Ｂは、本体部１０の裏面側１０Ｂの上方に向かって延びるように引き出され、本体部１０の裏面側１０Ｂに設けられたクリップ１６，１６に支持固定される。
【００３６】
このように、第１チューブ２４Ａおよび第２チューブ２４Ｂが、本体部１０の裏面側１０Ｂの上方に向かって延びるように引き出されることで、第１チューブ２４Ａおよび第２チューブ２４Ｂの一部（裏面側１０Ｂに配置される部分）は、図１０に示すように、第１チューブ２４Ａおよび第２チューブ２４Ｂの上面側で本体部１０を支持しつつ、第１チューブ２４Ａおよび第２チューブ２４Ｂの下面側が載置面Ｂに接することになる。
【００３７】
これにより、本体部１０が第１チューブ２４Ａおよび第２チューブ２４Ｂにより引っ張られても、本体部１０が容易に載置面Ｂ上を横滑りしない。その結果、本体部１０に内蔵された圧力センサ３２等に不必要な振動を与えることがなく、血圧測定精度の向上を図ることが可能となる。また、本体部１０の滑り止めのための別部材を設ける必要がないため、手動加圧式血圧計の製造コストの上昇を招くこともない。
【００３８】
なお、上記実施の形態においては、本体部１０の裏面側の下方領域に第１プラグ１１Ａおよび第２プラグ１１Ｂを設け、本体部１０の裏面側の上方領域に向かって第１チューブ２４Ａおよび第２チューブ２４Ｂを引き出す構成を図示しているが、この構成に限定されるものではない。たとえば、本体部１０の裏面側の上方領域に第１プラグ１１Ａおよび第２プラグ１１Ｂを設け、本体部１０の裏面側の下方領域に向かって第１チューブ２４Ａおよび第２チューブ２４Ｂを引き出す構成の採用も可能である。
【００３９】
また、第１プラグ１１Ａおよび第２プラグ１１Ｂを本体部１０の裏面側の中央領域に設け、一方のチューブを本体部１０の裏面側の上方領域に向かって引き出し、他方を下方領域に引き出すことも可能である。
【００４０】
また、上記実施の形態においては、第１プラグ１１Ａおよび第２プラグ１１Ｂを本体部１０の裏面側１０Ｂに設ける場合について図示しているが、この構成に限らず、第１プラグ１１Ａおよび第２プラグ１１Ｂの一方または両方を本体部１０の側面に設け、第１チューブ２４Ａおよび第２チューブ２４Ｂを本体部１０の裏面側に配置させて固定する構成の採用も可能である。
【００４１】
また、プラグから引き出された第１チューブ２４Ａおよび第２チューブ２４Ｂの両方が載置面Ｂに接する構成を図示しているが、いずれか一方のチューブのみが、載置面Ｂに接する構成の採用も可能である。
【００４２】
また、上記各実施の形態において、第１チューブ２４Ａおよび第２チューブ２４Ｂの肉厚は、摩擦によるチューブの破断を防止するためには約０．５ｍｍ以上の肉厚を有していることが好ましい。
【００４３】
なお、上記各実施の形態における血圧計においては、本発明を手動加圧式の血圧計に適用した場合について説明しているが、図１１に示すように本発明を自動加圧式の血圧計に適用することも可能である。自動加圧式の血圧計１Ａにおいては、本体部１０００に小型のエアーポンプ等の加圧機構が内蔵されることから、本体部１０００からは腕帯２０に接続されるチューブ２４Ｂのみが引き出されることになる。本体部１０００とチューブ２４Ｂとの間において、上述した図１〜図１０に示す構成を適宜適用することで、本体部１０００に接続されたチューブ２４Ｂに本体部が引っ張られても、本体部１０００が容易に載置面上を横滑りすることはない。
【００４４】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００４５】
１  手動加圧式血圧計、１Ａ  自動加圧式血圧計、１０，１０００  本体部、１０Ａ  表面側、１１Ａ，１１Ｂ  プラグ、１１Ｃ，１１Ｄ  外側に膨出した領域、１２  凸部領域、１２ａ  凹部領域、１５  電池カバー、１６，１６  クリップ、２０  腕帯、２１  空気袋、２４Ａ  第１チューブ、２４Ｂ  第２チューブ、３０  ゴム球、３１  排気口、３２  圧力センサ、３５  発振回路、３９  メモリ部、４０  表示部、４１  操作部、４２  電源部、４３  計時部、４４  ブザー、４５  ＬＥＤ、１００  ＣＰＵ。
【図１】
2011030748.tif 000003
【図２】
2011030748.tif 000004
【図３】
2011030748.tif 000005
【図４】
2011030748.tif 000006
【図５】
2011030748.tif 000007
【図６】
2011030748.tif 000008
【図７】
2011030748.tif 000009
【図８】
2011030748.tif 000010
【図９】
2011030748.tif 000011
【図１０】
2011030748.tif 000012
【図１１】
2011030748.tif 000013